(57)【要約】      （修正有）【課題】支持具に反射板を容易に取り付けることができるとともに、取り外すことができる反射板取付装置を提供する。【解決手段】反射板取付装置２０は、円筒状の支持具に取り付ける取付部３０と、反射板が取り付けられる被取付部４０とを備え、取付部３０は、支持具を保持する弧状部３１と、弧状部３１の両端に配置され、弧状部３１の弾性によって拡がる一対の拡開部３２とを備え、自然状態では、一対の拡開部３２の先端の間隙Ｒ２が支持具の直径Ｒ１よりも小さい一方、力が加えられた状態では、一対の拡開部３２の先端の間隙Ｒ２が支持具の直径Ｒ１よりも大きくなるように弧状部３１が変形する。被取付部４０は、一対の拡開部３２の一方の端部から折れ曲がる折曲部４１と、折曲部４１の端部から弧状部３１に近接するように延びる延出部４２とを備え、延出部４２が弧状部３１に対して離隔するように折曲部４１が弾性を有する。【選択図】図４
2014120297.tif 000002
【特許請求の範囲】
【請求項１】
円筒状または円柱状の支持具に、反射板を取り付ける反射板取付装置において、
前記支持具に取り付ける取付部と、前記反射板が取り付けられる被取付部とを備え、
前記取付部は、前記支持具を保持する保持部と、前記保持部の両端に配置され、前記保持部が弾性を有することによって拡がることが可能な一対の拡開部とを備え、自然状態では、前記一対の拡開部の先端の間隙の長さ寸法が前記支持具の直径の長さ寸法よりも小さい一方、力が加えられた状態では、前記一対の拡開部の先端の間隙の長さ寸法が前記支持具の直径の長さ寸法よりも大きくなるように前記保持部が変形し、
前記被取付部は、前記一対の拡開部の一方の端部から折れ曲がる折曲部と、前記折曲部の端部から前記保持部に近接するように延びる延出部とを備え、前記延出部が前記保持部に対して離間することが可能なように前記折曲部が弾性を有することを特徴とする前記反射板取付装置。
【請求項２】
前記取付部および前記被取付部を少なくとも２つ備え、
前記一対の拡開部の他方の端部から２つの前記取付部を連結する連結部をさらに備え、
前記一対の拡開部の他方の端部と、前記連結部との間には、前記取付部を前記支持具に案内する案内部を有し、
前記取付部、前記被取付部、前記連結部、および前記案内部は、線状の金属材料を折り曲げて一体に形成した請求項１に記載の反射板取付装置。
【請求項３】
前記一対の拡開部の他方の端部には、前記取付部を前記支持具に案内する案内部を有し、
前記取付部、前記被取付部および前記案内部は、板状の金属材料を折り曲げて一体に形成した請求項１に記載の反射板取付装置。
【発明の詳細な説明】
【技術分野】
【０００１】
この発明は、円筒状または円柱状の支持具に、反射板を取り付ける反射板取付装置に関する。
【背景技術】
【０００２】
近年、ビル等の建築物の内部において、閉鎖的または半閉鎖的な空間で環境をコントロールした上で植物を計画的に生産する植物工場が注目を集めている。
【０００３】
植物工場において、光源からの光を効率的に植物に当てるため、反射板が使用されている。従来、円筒状または円柱状の支持具に、反射板を取り付ける場合には、支持具に両面テープを張り付け、両面テープを介して支持具に反射板を取り付けていた。
【発明の開示】
【発明が解決しようとする課題】
【０００４】
上述した両面テープを介して反射板を支持具に取り付けたときにあって、支持具から反射板が外れた場合には、支持具から粘着力が低下した両面テープを取り外した後、新たな両面テープを支持具に張り付けてのち、再度、その両面テープに反射板を取り付けなければならなかった。よって、反射板の取り付け、および取り外しに手間がかかる問題があった。
【０００５】
そこで、この発明は、支持具に反射板を容易に取り付けることができるとともに、取り外すことができる反射板取付装置を提供することを課題にしている。
【課題を解決するための手段】
【０００６】
本発明は、円筒状または円柱状の支持具に、反射板を取り付ける反射板取付装置において、前記支持具に取り付ける取付部と、前記反射板が取り付けられる被取付部とを備え、前記取付部は、前記支持具を保持する保持部と、前記保持部の両端に配置され、前記保持部が弾性を有することによって拡がることが可能な一対の拡開部とを備え、自然状態では、前記一対の拡開部の先端の間隙の長さ寸法が前記支持具の直径の長さ寸法よりも小さい一方、力が加えられた状態では、前記一対の拡開部の先端の間隙の長さ寸法が前記支持具の直径の長さ寸法よりも大きくなるように前記保持部が変形し、前記被取付部は、前記一対の拡開部の一方の端部から折れ曲がる折曲部と、前記折曲部の端部から前記保持部に近接するように延びる延出部とを備え、前記延出部が前記保持部に対して離間することが可能なように前記折曲部が弾性を有することを特徴とする。
【０００７】
本発明の好ましい実施態様の一つとして、前記取付部および前記被取付部を少なくとも２つ備え、前記一対の拡開部の他方の端部から２つの前記取付部を連結する連結部をさらに備え、前記一対の拡開部の他方の端部と、前記連結部との間には、前記取付部を前記支持具に案内する案内部を有し、前記取付部、前記被取付部、前記連結部、および前記案内部は、線状の金属材料を折り曲げて一体に形成してある。
【０００８】
本発明の他の好ましい実施態様の一つとして、前記一対の拡開部の他方の端部には、前記取付部を前記支持具に案内する案内部を有し、前記取付部、前記被取付部および前記案内部は、板状の金属材料を折り曲げて一体に形成してある。
【発明の効果】
【０００９】
この発明に係る反射板取付装置によれば、支持具に取り付ける取付部と、反射板が取り付けられる被取付部とを備え、取付部は、支持具を保持する保持部と、保持部の両端に配置され、保持部が弾性を有することによって拡がることが可能な一対の拡開部とを備え、自然状態では、一対の拡開部の先端の間隙の長さ寸法が支持具の直径よりも小さい一方、力が加えられた状態では、一対の拡開部の先端の間隙の長さ寸法が支持具の直径よりも大きくなるように保持部が変形し、被取付部は、一対の拡開部の一方の端部から折れ曲がる折曲部と、折曲部の端部から保持部に近接するように延びる延出部とを備え、延出部が保持部に対して離間することが可能なように折曲部が弾性を有する。よって、反射板取付装置を支持具に取り付ける場合、または反射板取付装置を支持具から取り外す場合には、取付部に力を加えることによって、一対の拡開部の先端の間隙の長さ寸法が、支持具の直径よりも大きくなるように変形させて、支持具に対して反射板取付装置を進退させればよい。また、反射板取付装置に反射板を取り付ける場合、または反射板取付装置から反射板を取り外す場合、近接部が保持部に対して拡がるように折曲部に力を加えて被取付部を変形させ、反射板取付装置に対して反射板を進退させればよい。従って、支持具に反射板を容易に取り付けることができるとともに、取り外すことができる反射板取付装置を提供することができる。
【図面の簡単な説明】
【００１０】
【図１】本発明の第１実施形態に係る反射板取付装置を適用した植物工場の内部の斜視図。
【図２】図１の正面図。
【図３】第１実施形態に係る反射板取付装置の斜視図。
【図４】第１実施形態の反射板取付装置の側面図。
【図５】第１実施形態の反射板取付装置の平面図。
【図６】第１実施形態の反射板取付装置を支持具に取り付けている状態を示す説明図。
【図７】図６と同様の図。
【図８】支持具に取り付けられた反射板取付装置に反射板を取り付けた状態を示す説明図。
【図９】本発明の第２実施形態に係る反射板取付装置を適用した植物工場の内部の斜視図。
【図１０】第２実施形態に係る反射板取付装置の斜視図。
【図１１】第２実施形態の反射板取付装置の側面図。
【図１２】第２実施形態の反射板取付装置の平面図。
【発明を実施するための形態】
【００１１】
［第１実施形態］
添付の図面を参照してこの発明の第１実施形態に係る反射板取付装置の詳細を説明すると以下のとおりである。
【００１２】
図１は、本発明の第１実施形態に係る反射板取付装置２０を使用する植物工場の内部を示す斜視図であり、図２は、図１の正面図である。図１および図２において、図中、Ｘは、後述する支持具１２の長さ方向を示し、Ｙは、Ｘと直交する幅方向を示し、Ｚは、長さ方向Ｘおよび幅方向Ｙにそれぞれ直交する上下方向を示す。
【００１３】
植物工場は、栽培ボックス１０と、ＬＥＤ（Light Emitting Diode）等の光源１１（図２参照）と、支持具１２と、反射板１３と、反射板取付装置２０とを備えている。なお、図１において、説明の便宜のため、光源１１を省略してある。
【００１４】
栽培ボックス１０は、その内部に、植物１６を育成するための養分を含んだ水を有するとともに例えば天板１４に一列の貫通孔１５を有し、栽培ボックス１０には、その貫通孔１５を通じてリーフレタス等の植物１６が列状に植えつけてある。
【００１５】
光源１１は、栽培ボックス１０の上方に配置してある。支持具１２は、例えば長さ方向Ｘに延び、且つ横断面が円筒状であって、栽培ボックス１０の上方領域の側方に、例えば一対配置してある。
【００１６】
反射板１３は、少なくとも一方の面は、光源１１からの光を反射するように構成してあり、その一方の面が植物１６の側方を覆うように栽培ボックス１０の上方領域の側方に配置してある。反射板１３は、効率的に光源１１からの光を植物１６に当てる機能を有している。
【００１７】
図３は、反射板取付装置２０の斜視図であり、図４は、反射板取付装置２０の側面図であり、図５は、反射板取付装置２０の平面図である。反射板取付装置２０は、反射板１３を支持具１２に取り付けるためのものである。図４および図５において、図中、Ｒは、後述する弧状部３１の中心部Ｏを通過し、中心部Ｏを通過する拡開方向を示す。
【００１８】
反射板取付装置２０は、例えば支持具１２に取り付ける取付部３０と、反射板１３が取り付けられる被取付部４０とをそれぞれ２つずつ有しているとともに、２つの取付部３０を連結する連結部５０と、反射板取付装置２０を支持具１２に取り付けるときに、支持具１２に対して取付部３０を案内する第１案内部（案内部）６０とを有する。反射板取付装置２０は、例えばステンレス等の線状の金属材料を折り曲げて一体に取付部３０、被取付部４０、連結部５０および第１案内部６０を形成してある。
【００１９】
各取付部３０は、弧状部３１（保持部）と拡開部３２とを有している。弧状部３１は、支持具１２に取付部３０をまだ取り付けておらず、かつ力が加えられていない自然状態（図４参照）では、中心部Ｏに対して一定の距離を有するように形成してある。また、弧状部３１は、支持具１２に取付部３０を取り付けた状態（図８参照）では、支持具１２を保持する部分であって、支持具１２の周面に沿う部分である。
【００２０】
拡開部３２は、弧状部３１の一方の端部および他方の端部から例えば直状に延びるようにそれぞれ構成してある。拡開部３２は、弧状部３１を例えば金属材料で形成し、弧状部３１が弾性を有することによって、弧状部３１の中心部Ｏに対して拡がることが可能なように弧状部３１の両端に一対配置してある。また、拡開部３２は、自然状態において、中心部Ｏを通過する弧状部３１の直径の長さ寸法Ｒ１に対して、拡開部３２の両端の間隔の長さ寸法Ｒ２が小さくなるように構成してある。さらに、拡開部３２は、自然状態において、支持具１２の直径の長さ寸法Ｒ（図７参照）に対して、一対の拡開部３２の両端の間隔の長さ寸法Ｒ２が小さくなるように構成してある。よって、後述するように、支持具１２の外周面に弧状部３１の内周面が当接する取付状態（図８参照）では、拡開部３２の両端が広がるように力が加えられなければ、反射板取付装置２０が支持具１２から外れることがない。拡開部３２は、その両端が離間するように弧状部３１に力を加えた場合、支持具１２の直径の長さ寸法Ｒに対して、一対の拡開部３２の両端の間隔の長さ寸法Ｒ２が大きくなるように構成してある。
【００２１】
各被取付部４０は、折曲部４１と延出部４２とを有している。折曲部４１は、拡開部３２の両端部からそれぞれ折れ曲がる部分である。延出部４２は、折曲部４１の端部から弧状部３１に近接するように直状に延び、かつ弧状部３１に当接した後、さらに直状に延びる部分である。延出部４２は、その先端部４３が、弧状部３１の中心部Ｏに対して拡開方向に拡がることが可能なよう折曲部４１を金属材料によって弾性を有するように形成してある。
【００２２】
この反射板取付装置２０では、図３および図４に示すように、延出部４２の基端部４４側と、拡開部３２との間に、反射板１３を挟持するための挟持空間７１を有している。また、この反射板取付装置２０では、弧状部３１に当接した後、さらに直状に延びる延出部４２と、弧状部３１とで第２案内部７０を構成している。第２案内部７０は、弧状部３１が中心部Ｏを中心に弧状に形成してある一方、延出部４２が直状に形成してあるため、延出部４２の先端部４３側と、弧状部３１の外周面との間には、反射板１３を取り付ける場合に、反射板１３の先端部１３ａを挟持空間７１に案内するものである。
【００２３】
この反射板取付装置２０では、一対の拡開部３２において、一方の端部に被取付部４０を配置してある一方、他方の端部に第１案内部６０を介して連結部５０を配置してある。
【００２４】
連結部５０は、一対の拡開部３２の他方の端部から第１案内部６０を介して２つの取付部３０を連結するように延びている。
【００２５】
第１案内部６０は、一対の拡開部３２の他方の端部と、連結部５０との間に配置してある。より具体的には、第１案内部６０は、例えば直状に延びるように形成してあって、第１案内部６０が直状に延びる方向ｍ１と、拡開部３２が直状に延びる方向ｍ２とが、鋭角である角度θを成すように配置してある（図６参照）。
【００２６】
反射板取付装置２０を支持具１２に取り付ける場合、図６に示すように、先ず、支持具１２に第１案内部６０を当接させる。次に、一対の拡開部３２の間隙に向け、第１案内部６０の延びる方向ｍ１に沿って、支持具１２に対して反射板取付装置２０をスライド移動させる。
【００２７】
次に、一対の拡開部３２の間隙に支持具１２が配置されるまで反射板取付装置２０をスライド移動させてから、図７に示すように、一対の拡開部３２の両端の間隔の長さ寸法Ｒ２が大きくなるように力を取付部３０に加え、一対の拡開部３２の両端の間隔の長さ寸法Ｒ２を支持具１２の直径の長さ寸法Ｒよりも大きくなるように弧状部３１を変形させる。
【００２８】
次いで、図８に示すように、取付部３０の内部に支持具１２を入れ、支持具１２に反射板取付装置２０を取り付ける。このように取付部３０の内部に支持具１２を入れた取付状態では、支持具１２の直径の長さ寸法Ｒよりも、一対の拡開部３２の両端の間隔の長さ寸法Ｒ２が小さいため、反射板取付装置２０が支持具１２から取り外れることはない。また、支持具１２から反射板取付装置２０を取り外す場合には、上記操作と逆の操作を行えばよい。
【００２９】
また、支持具１２に反射板取付装置２０を取り付けた取付状態において、反射板取付装置２０に反射板１３を取り付ける場合には、延出部４２と取付部３０とで形成される第２案内部７０に、反射板１３の先端部１３ａを挿入し、その後、反射板１３の先端部１３ａが挟持空間７１へ向かうように反射板１３の基端部１３ｂを押せば、延出部４２が弧状部３１に対して離間するように折曲部４１が変形する。よって、反射板１３の先端を容易に挟持空間７１へ挿入することができる。一方、反射板取付装置２０から反射板１３を取り外す場合には、反射板１３の基端を持って上記操作と反対の操作を行えばよい。
【００３０】
従って、反射板取付装置２０を支持具１２に取り付ける場合、または反射板取付装置２０を支持具１２から取り外す場合には、一対の拡開部３２の両端に力を加え、一対の拡開部３２の両端の間隔の長さ寸法Ｒ２が、支持具１２の直径の長さ寸法Ｒよりも大きくなるように変形させてから、支持具１２に対して反射板取付装置２０を進退させればよい。また、反射板取付装置２０に反射板１３を取り付ける場合、または反射板取付装置２０から反射板１３を取り外す場合、延出部４２が弧状部３１の中心部Ｏに対して拡開方向に拡がるように力を加え、被取付部４０を変形させて、反射板取付装置２０に対して反射板１３を進退させればよい。よって、反射板１３を支持具１２に容易に取り付けることができるとともに、取り外すことができる。
【００３１】
また、この反射板取付装置２０によれば、一対の拡開部３２の一方の端部に、支持具１２に反射板取付装置２０の取付部３０を取り付ける際、支持具１２を案内する第１案内部６０を設けてあるため、上記取り付けを容易にすることができる。
【００３２】
さらに、この反射板取付装置２０によれば、一対の拡開部３２において、一方の端部に被取付部４０を配置してある一方、他方の端部に連結部５０を配置してあるため、反射板１３を取付部３０に取り付ける際、連結部５０が邪魔になることがない。
【００３３】
なお、上述した第１実施形態には、取付部３０、被取付部４０、および第１案内部６０をそれぞれ２つずつ有しているとともに、連結部５０を１つ備える反射板取付装置２０を説明した。しかし、この発明は、それに限られず、取付部３０、被取付部４０、および第１案内部６０は、必要に応じて３つ以上の複数有してもよく、連結部５０は、取付部３０等の数に応じて必要な数を有するように構成してもよい。
【００３４】
［第２実施形態］
図９は、本発明の第２実施形態に係る反射板取付装置１２０を使用する植物工場の内部を示す斜視図である。第２実施形態に係る反射板取付装置１２０において、第１実施形態に係る反射板取付装置２０と異なる点のみを以下に説明し、同一の構成については、同一の符号を付して説明を省略する。
【００３５】
図１０は、反射板取付装置１２０の斜視図であり、図１１は、反射板取付装置１２０の側面図であり、図１２は、反射板取付装置１２０の平面図である。
【００３６】
反射板取付装置１２０は、例えば支持具１２に取り付ける取付部１３０と、反射板１３が取り付けられる被取付部１４０と、反射板１３を支持具１２に取り付けるときに、支持具１２に対して取付部１３０を案内する第１案内部（案内部）１６０とを１つずつ有する。反射板取付装置１２０は、例えば長さ方向Ｘに延びるように、ステンレス等の板状の金属材料を折り曲げて一体に取付部１３０、被取付部１４０、および第１案内部１６０を形成してある。
【００３７】
取付部１３０は、弧状部１３１（保持部）と拡開部１３２とを有している。弧状部１３１は、支持具１２に取付部１３０をまだ取り付けておらず、かつ力が加えられていない自然状態では、中心部Ｏに対して一定の距離を有するように形成してある。また、弧状部１３１は、支持具１２に取り付け部を取り付けた状態では、支持具１２を保持する部分であって、支持具１２の周面に沿う部分である。
【００３８】
拡開部１３２は、弧状部１３１の一方の端部および他方の端部から例えば直状に延びるようにそれぞれ構成してある。拡開部１３２は、弧状部１３１を例えば金属材料で形成し、弧状部１３１が弾性を有することによって、弧状部１３１の中心部Ｏに対して拡がることが可能なように弧状部１３１の両端に一対配置してある。また、拡開部１３２は、自然状態において、中心部Ｏを通過する弧状部１３１の直径の長さ寸法Ｒ１に対して、一対の拡開部１３２の両端の間隔の長さ寸法Ｒ２が小さくなるように、弧状部１３１の両端から直状に延びるように構成してある。さらに、拡開部１３２は、自然状態において、支持具１２の直径の長さ寸法Ｒに対して、一対の拡開部１３２の両端の間隔の長さ寸法Ｒ２が小さくなるように構成してある。よって、支持具１２の外周面に弧状部１３１の内周面が当接する取り付け状態では、拡開部１３２の両端が拡がるように力が加えられなければ、反射板取付装置１２０が支持具１２から外れることがない。拡開部１３２は、その両端が離間するように弧状部１３１に力を加えた場合、支持具１２の直径の長さ寸法Ｒに対して、一対の拡開部１３２に両端の間隔の長さ寸法Ｒ２が大きくなるように構成してある。
【００３９】
各被取付部１４０は、折曲部１４１と延出部１４２とを有している。折曲部１４１は、拡開部１３２の両端部からそれぞれ折れ曲がる部分である。延出部１４２は、折曲部１４１の端部から弧状部１３１に近接するように直状に延び、かつ弧状部１３１に当接した後、さらに直状に延びる部分である。延出部１４２は、その先端部１４３が、弧状部１３１の中心部Ｏに対して拡開方向に拡がることが可能なよう折曲部１４１を金属材料によって弾性を有するように形成してある。
【００４０】
この反射板取付装置１２０では、延出部１４２の基端部１４４側と、拡開部１３２との間に、反射板１３を挟持するための挟持空間１７１を有している。また、この反射板取付装置１２０では、弧状部１３１に当接した後、さらに直状に延びる延出部１４２と、弧状部１３１とで第２案内部１７０を構成している。第２案内部１７０は、弧状部１３１が中心部Ｏを中心に弧状に形成してある一方、延出部１４２が直状に形成してあるため、延出部１４２の先端部１４３側と、弧状部１３１の外周面との間には、反射板１３を取り付ける場合に、反射板１３の先端部１３ａを挟持空間１７１に案内するものである。
【００４１】
この反射板取付装置１２０では、一対の拡開部１３２において、一方の端部に被取付部１４０を配置してある一方、他方の端部に第１案内部１６０を配置してある。
【００４２】
第１案内部１６０は、一対の拡開部１３２の他方の端部の先端側に配置してある。より具体的には、第１案内部１６０は、例えば直状に延びるように形成してあって、第１案内部１６０が直状に延びる方向ｍ１と、拡開部３２が直状に延びる方向ｍ２とが、鋭角である角度θを成すように配置してある。
【００４３】
第２実施形態に係る反射板取付装置１２０も、第１実施形態に係る反射板取付装置１２０と同様の作用・効果を奏する。
【００４４】
なお、上述した実施形態には、円筒状の支持具１２を例にあげて説明した。しかし、支持具１２は円筒状のものに限られず、例えば円柱状のものを使用してもよい。
【００４５】
また、上述した実施形態には、保持部（弧状部３１，１３１）を弧状に形成してあるもので説明した。しかし、保持部は弧状に限られず、適宜、形状を変形させてもよい。
【００４６】
さらに、上述した実施形態には、反射板取付装置２０，１２０を植物工場に用いるもので説明した。しかし、この発明はそれに限られず、反射板取付装置は、植物工場に限られず、ビニールハウス等の他の施設等にも使用することができる。
【００４７】
また、上述した実施形態には、反射板取付装置２０，１２０をリーフレタスに用いる植物工場に用いるもので説明した。しかし、この発明はリーフレタスに限られず、その他の野菜、果物等の植物を栽培する工場に適用することができる。
【符号の説明】
【００４８】
１２      支持具
１３      反射板
２０      反射板取付装置
３０      取付部
３１      弧状部（保持部）
３２      拡開部
４０      被取付部
４１      折曲部
４２      延出部
５０      連結部
６０      第１案内部（案内部）
１２０    反射板取付装置
１３０    取付部
１３１    弧状部（保持部）
１３２    拡開部
１４０    被取付部
１４１    折曲部
１４２    延出部
Ｏ        中心部
Ｒ        支持具の直径の長さ寸法
Ｒ１      中心部を通過する弧状部の直径の長さ寸法
Ｒ２      一対の拡開部の両端の間隔の長さ寸法
【図１】
2014120297.tif 000003
【図２】
2014120297.tif 000004
【図３】
2014120297.tif 000005
【図４】
2014120297.tif 000006
【図５】
2014120297.tif 000007
【図６】
2014120297.tif 000008
【図７】
2014120297.tif 000009
【図８】
2014120297.tif 000010
【図９】
2014120297.tif 000011
【図１０】
2014120297.tif 000012
【図１１】
2014120297.tif 000013
【図１２】
2014120297.tif 000014